(57)【要約】【課題】この発明は、犬のけん引力で腰ベルト部分に引っ張る力だけでなく、犬があちこちに動き回って腰ベルト部分にねじるような力が加わった場合でも、腰ベルトに加えられたねじる力が無理なく吸収され、よって飼い主が振り回されるという問題のない新規な衝撃緩衝ベルトを提供しようとするものである。【解決手段】伸縮性のない素材からなる筒状カバーと、該筒状カバー内に装着された伸縮性ベルトと、該伸縮性ベルトの両端に取り付けた非伸縮性側部ベルトと、前記伸縮性ベルト両端の間に差し渡された前記伸縮性ベルトよりも長めの非伸縮性規制ベルトと、それぞれ前記非伸縮性側部ベルトに一端を取り付け、他端に前記非伸縮性規制ベルトをスライド可能に挿通する連結リングを取り付けた緩み止め伸縮性ベルトとを備えたことを特徴とする衝撃緩衝ベルト。【選択図】  図１
2014217323.tif 000002
【特許請求の範囲】
【請求項１】
伸縮性のない素材からなる筒状カバーと、該筒状カバー内に装着された伸縮性ベルトと、該伸縮性ベルトの両端に取り付けた非伸縮性ベルトとを備えたことを特徴とする衝撃緩衝ベルト。
【請求項２】
伸縮性のない素材からなる筒状カバーと、該筒状カバー内に装着された伸縮性ベルトと、該伸縮性ベルトの両端に取り付けた非伸縮性側部ベルトと、前記伸縮性ベルト両端の間に差し渡された前記伸縮性ベルトよりも長めの非伸縮性規制ベルトと、それぞれ前記非伸縮性側部ベルトに一端を取り付け、他端に前記非伸縮性規制ベルトをスライド可能に挿通する連結リングを取り付けた緩み止め伸縮性ベルトとを備えたことを特徴とする衝撃緩衝ベルト。
【請求項３】
前記伸縮性のない素材からなる筒状カバーと、該筒状カバー内に装着された前記伸縮性ベルトとを適所において固着したことを特徴とする請求項１または２に記載の衝撃緩衝ベルト。
【発明の詳細な説明】
【技術分野】
【０００１】
この発明は、胴に巻いて使用する犬のリードに使用できることはもちろん、カメラや乳児等の重量物、旅行用等の手荷物やカバン、工事用の材料や防災グッズ、牛乳や飲料水等を運搬したり持ち上げるために、肩や首から吊り下げるための吊下げ具等に利用する衝撃緩衝ベルトに関するものである。
【背景技術】
【０００２】
従来の胴に巻いて使用する犬のリードにおける衝撃を緩衝する構造としては、特開２０１１−７８３２４号公報（特許文献１参照）のような、ショート・リードにストッパー付の伸縮性緩衝バネを接続し、更に伸縮性緩衝バネのもう一方の端にリード・ハンドを設けた引張犬散歩リードにおいて、前記ストッパーは伸縮性緩衝バネの内部に挿入され、伸びた時に伸長限界が有る伸縮機（布カバー付ゴム紐など伸縮性のある紐）ストッパーであることを特徴とする引張犬散歩リードが知られている。
【０００３】
また、登録実用新案第３１５１５１９号公報（特許文献２参照）においては、腰ベルト後方に腰当パットを装備し、また腰ベルト前方にはリード取付フックを備えリードが接続できるようになっており、またリード取付フック先端部にはショルダーベルトが装備され、更にリード取付フックとリードとの間に対しリード切離安全装置を装備した引張犬散歩ベルトが提案されている。
【０００４】
ところが、前記特許文献１および特許文献２の先行技術においては、腰ベルト部分には全く伸縮性がなく、リードにのみばね等からなる緩衝機構を組込まれているに過ぎないものであった。
すなわち、前述のようにリードへ緩衝機構を組み込んだタイプのものは、従来の手に持つタイプの犬のリードの場合とまったく同様の機構であり、単に手に持つ部分を腰ベルトに置き換えたに過ぎないものということができる。
【先行技術文献】
【特許文献】
【０００５】
【特許文献１】特開２０１１−７８３２４号公報
【特許文献２】登録実用新案第３１５１５１９号公報
【発明の概要】
【発明が解決しようとする課題】
【０００６】
以上のように、前記従来例におけるリードへ緩衝機構を組み込んだタイプのものは、従来の手に持つタイプの犬のリードの場合とまったく同様の機構であり、単に手に持つ部分を腰ベルトに置き換えたに過ぎないものということができ、緩衝機構の働く範囲がリード内に設置した緩衝機構の長さに限定されるという問題があったのである。
したがって、例えば犬のけん引力で腰ベルト部分に引っ張る力だけでなく、犬があちこちに動き回って腰ベルト部分にねじるような力が加わった場合、腰ベルトに加えられたねじる力によって飼い主が振り回されるという問題が生じていた。
【０００７】
この発明の衝撃緩衝ベルトは、手に持つ部分を腰ベルトに置き換えたに過ぎない前記従来例の、緩衝機構の働く範囲がリード内に設置した緩衝機構の長さに限定されるという問題を解消しようとするものであり、例えば犬のけん引力で腰ベルト部分に引っ張る力だけでなく、犬があちこちに動き回って腰ベルト部分にねじるような力が加わった場合でも、腰ベルトに加えられたねじる力が無理なく吸収され、よって飼い主が振り回されるという問題のない新規な衝撃緩衝ベルトを提供しようとするものである。
【課題を解決するための手段】
【０００８】
すなわちこの発明の衝撃緩衝ベルトは、伸縮性のない素材からなる筒状カバーと、該筒状カバー内に装着された伸縮性ベルトと、該伸縮性ベルトの両端に取り付けた非伸縮性ベルトとを備えたことを特徴とするものである。
【０００９】
またこの発明の衝撃緩衝ベルトは、伸縮性のない素材からなる筒状カバーと、該筒状カバー内に装着された伸縮性ベルトと、該伸縮性ベルトの両端に取り付けた非伸縮性側部ベルトと、前記伸縮性ベルト両端の間に差し渡された前記伸縮性ベルトよりも長めの非伸縮性規制ベルトと、それぞれ前記非伸縮性側部ベルトに一端を取り付け、他端に前記非伸縮性規制ベルトをスライド可能に挿通する連結リングを取り付けた緩み止め伸縮性ベルトとを備えたことをも特徴とするものである。
【００１０】
この発明の衝撃緩衝ベルトは、前記伸縮性のない素材からなる筒状カバーと、該筒状カバー内に装着された前記伸縮性ベルトとを適所において固着したことをも特徴とするものである。
【発明の効果】
【００１１】
以上のように、この発明の衝撃緩衝ベルトによれば、手に持つ部分を腰ベルトに置き換えたに過ぎない前記従来例の、緩衝機構の働く範囲がリード内に設置した緩衝機構の長さに限定されるという問題を解消することができた。
すなわち、例えば犬のけん引力で腰ベルト部分に引っ張る力だけでなく、犬があちこちに動き回って腰ベルト部分にねじるような力が加わった場合でも、腰ベルトに加えられたねじる力が無理なく吸収され、よって飼い主が振り回されるという問題のない新規な衝撃緩衝ベルトを提供することが可能である。
【図面の簡単な説明】
【００１２】
【図１】この発明の衝撃緩衝ベルトを犬のリードに適用した場合の１実施例を示し、（ａ）および（ｂ）は長さ方向の両側を分断して表示した状態の断面図である。
【図２】（ａ）および（ｂ）は長さ方向の両側を分断して表示した状態の平面図である。
【図３】衝撃緩衝ベルトを両側から引っ張った状態を示し、（ａ）および（ｂ）は長さ方向の両側を分断して表示した状態の断面図である。
【図４】（ａ）および（ｂ）は長さ方向の両側を分断して表示した状態の平面図である。
【図５】図６の拡大部分を示す断面図である。
【図６】要部拡大断面図である。
【発明を実施するための形態】
【００１３】
以下この発明の衝撃緩衝ベルトの実施の形態を図面に基いて詳細に説明する。
図１はこの発明の衝撃緩衝ベルトを犬のリードに適用した場合の１実施例を示し、（ａ）および（ｂ）は長さ方向の両側を分断して表示した状態の断面図、図２（ａ）および（ｂ）は長さ方向の両側を分断して表示した状態の平面図、図３は衝撃緩衝ベルトを両側から引っ張った状態を示し、（ａ）および（ｂ）は長さ方向の両側を分断して表示した状態の断面図、図４（ａ）および（ｂ）は長さ方向の両側を分断して表示した状態の平面図、図５は図６の拡大部分を示す断面図、図６はその要部拡大断面図である。
【００１４】
図１ないし図６の実施例において示されるこの発明の衝撃緩衝ベルト１１は、基本的には伸縮性のない素材からなる筒状カバー１２と、該筒状カバー１２内に装着された伸縮性ベルト１３と、該伸縮性ベルト１３の両端に取り付けた非伸縮性側部ベルト１４ａ，１４ｂとを備えたものである。
【００１５】
図１ないし図６に基いてより詳しく説明すると、この発明の衝撃緩衝ベルト１１は伸縮性のない素材からなる筒状カバー１２と、該筒状カバー１２内に装着された伸縮性ベルト１３と、該伸縮性ベルト１３の両端に取り付けた非伸縮性側部ベルト１４ａ，１４ｂとを備えている。そして、前記伸縮性ベルト１３両端の間には前記伸縮性ベルト１３よりも長めの非伸縮性規制ベルト１５が差し渡されている。
前記非伸縮性側部ベルト１４ａ，１４ｂにはそれぞれ緩み止め伸縮性ベルト１６ａ，１６ｂの一端が取り付けてあり、該緩み止め伸縮性ベルト１６ａ，１６ｂの他端には前記非伸縮性規制ベルト１５を挿通する連結リング１７が取り付けてあって、前記非伸縮性規制ベルト１５をスライド可能に保持している。
【００１６】
前記緩み止め伸縮性ベルト１６ａ，１６ｂの前記非伸縮性側部ベルト１４ａ，１４ｂ上における取付位置は、常態において前記非伸縮性規制ベルト１５の両側を保持して該ベルト１５が緩まない位置となっており、その状態では前記緩み止め伸縮性ベルト１６ａ，１６ｂにはほとんど引っ張る力が作用しないようになっている。
【００１７】
図において２１は、前記伸縮性ベルト１３の両端を縫着等の手段で固着する結束部であり、その端部は連結リング２２を介して前記非伸縮性側部ベルト１４ａ，１４ｂに連結されている。また２３は前記非伸縮性側部ベルト１４ａ，１４ｂの他端に取り付けたＤ型連結リング、２４は前記筒状カバー１２と前記伸縮性ベルト１３との間に介在させたポリウレタン等の合成樹脂発泡体からなる衝撃吸収材である。
また、前記伸縮性ベルト１３よりも長めの非伸縮性規制ベルト１５は、その端部を前記伸縮性ベルト１３の両端の結束部２１に縫着等の手段で固着することが望ましい。同様に前記非伸縮性側部ベルト１４ａ，１４ｂへの緩み止め伸縮性ベルト１６ａ，１６ｂの取り付けも、縫着等の手段で行うことが望ましい。
【００１８】
この発明の衝撃緩衝ベルト１１は、前記伸縮性のない素材からなる筒状カバー１２と、該筒状カバー１２内に装着された前記伸縮性ベルト１３とを適所において縫着等の手段で固着しておくことが望ましい。図１ないし図６では前記筒状カバー１２と前記伸縮性ベルト１３とをそのほぼ中央において縫着等の手段で固着しているが、その位置は何ら中央に限られるものではない。
【００１９】
前記伸縮性のない素材からなる筒状カバー１２としては、厚手の織物や合成皮革等を用いることができ、その内面は植毛その他の加工を施して滑りを良くしておくことが望ましい。
前記伸縮性ベルト１３や緩み止め伸縮性ベルト１６ａ，１６ｂは、ベルト状のゴム紐を好適に用いることができ、求められる引っ張り力や耐久性に応じて複数積層して使用することができる。上記実施例では前記伸縮性ベルト１３を３層のゴム紐で構成している。
また、前記非伸縮性側部ベルト１４ａ，１４ｂや前記非伸縮性規制ベルト１５は、ナイロンやポリエステル等からなる布ベルトやその他の引っ張り強度のある素材を用いることができる。
【００２０】
次にこの発明の衝撃緩衝ベルトの使用態様について説明する。
図１および図２の状態から図３および図４のように、前記伸縮性ベルト１３の両端に取り付けた非伸縮性側部ベルト１４ａ，１４ｂを両側から引っ張ると、当然、前記伸縮性ベルト１３が引き伸ばされる。
その際、前記非伸縮性規制ベルト１５も引き伸ばされるが、それによって前記緩み止め伸縮性ベルト１６ａ，１６ｂに引っ張る力が作用すると、前記緩み止め伸縮性ベルト１６ａ，１６ｂも同時に伸長する。
もちろん、前記伸縮性ベルト１３が徐々に、あるいは想定を超えて引き伸ばされた場合のいずれにおいても、前記非伸縮性規制ベルト１５が働いて該ベルト１５の長さ以上には引き伸ばされることがないので、前記伸縮性ベルト１３が想定を超えて引き伸ばされることにより切断するおそれがない。
また、重量物や乳児等を吊り下げている場合にあって、前記伸縮性ベルト１３が想定を超えて引き伸ばされることが前記非伸縮性規制ベルト１５によって防止できるので、重量物が床に落ちて損傷したり、乳児が床に落ちてけがをするという危険が回避できた。
【００２１】
以上のように、この発明の衝撃緩衝ベルトによれば、手に持つ部分を腰ベルトに置き換えたに過ぎない前記従来例の、緩衝機構の働く範囲がリード内に設置した緩衝機構の長さに限定されるという問題を解消することができた。
すなわち、例えば犬のけん引力で腰ベルト部分に引っ張る力だけでなく、犬があちこちに動き回って腰ベルト部分にねじるような力が加わった場合でも、腰ベルトに加えられたねじる力が無理なく吸収され、よって飼い主が振り回されるという問題のない新規な衝撃緩衝ベルトを提供することが可能である。
【００２２】
なお、前記伸縮性ベルト１３が引き伸ばされた場合でも、その伸縮する挙動はほぼ前記筒状カバー１２の中だけで行われ、また前記筒状カバー１２は伸縮しないため、前記筒状カバー１２が接触している衣服が前記伸縮性ベルト１３の伸縮によってこすれること等により、摩耗したり傷が付いたりという悪影響を受けることはない。
【００２３】
前記伸縮性ベルト１３や前記緩み止め伸縮性ベルト１６の伸縮力はゴムの素材を変えたり、単一ベルトの枚数を変えて重ねて使用することにより調整することができる。
また例えば、前記緩み止め伸縮性ベルト１６を前記伸縮性ベルト１３よりも小さい伸縮力としておくことにより、当初は前記緩み止め伸縮性ベルト１６にのみ引っ張り力が作用し、前記非伸縮性規制ベルト１５が伸びきったところで前記伸縮性ベルト１３に引っ張り力が作用するようにして、衝撃緩衝ベルト全体に作用する伸縮力を段階的なものとすることができる。
【産業上の利用可能性】
【００２４】
この発明の衝撃緩衝ベルトは、胴に巻いて使用する犬のリードに使用できることはもちろん、カメラや乳児等の重量物、旅行用等の手荷物やカバン、工事用の材料や防災グッズ、牛乳や飲料水等を運搬したり持ち上げるために、肩や首から吊り下げるための吊下げ具等に用いることが可能であるが、身体に装着した場合に多大な負荷を受ける同種の用途に適用することができることはいうまでもない。
【符号の説明】
【００２５】
１１  衝撃緩衝ベルト
１２  筒状カバー
１３  伸縮性ベルト
１４ａ，１４ｂ  非伸縮性側部ベルト
１５  非伸縮性規制ベルト
１６ａ，１６ｂ  緩み止め伸縮性ベルト
１７  連結リング
２１  結束部
２２  連結リング
２３  Ｄ型連結リング
２４  衝撃吸収材
【図１】
2014217323.tif 000003
【図２】
2014217323.tif 000004
【図３】
2014217323.tif 000005
【図４】
2014217323.tif 000006
【図５】
2014217323.tif 000007
【図６】
2014217323.tif 000008